(57)【要約】      （修正有）【課題】お好み焼きを切り分けた後に食器具を持ち替える手間を省くとともに、調理具材等を挟むことや突き刺すことを可能にして、細かい調理具材についても簡単に食べることができるお好み焼き用食器具を提供する。【解決手段】一方向に延びる柄部２と、柄部２の軸心に対して傾き、略台形状をした扁平な頭部３とを備えるお好み焼き用食器具１であって、頭部３は、一方の側端３ａ側にお好み焼きを切り分けるヘラ部３１が形成されており、他方の側端３ｂ側に切り分けたお好み焼きの一片を突き刺すフォーク部３２が形成されている。【選択図】図１
0003194011.tif 000002
【実用新案登録請求の範囲】
【請求項１】
一方向に延びる柄部と、前記柄部の軸心に対して傾き、略台形状をした扁平な頭部とを備えるお好み焼き用食器具であって、
前記頭部は、一方の側端側にお好み焼きを切り分けるヘラ部が形成されており、他方の側端側に前記切り分けたお好み焼きを突き刺すフォーク部が形成されていることを特徴とするお好み焼き用食器具。
【請求項２】
請求項１に記載されたお好み焼き用食器具であって、
前記フォーク部の先端は、前記ヘラ部の先端に対して前記柄部側へ傾くように形成されていることを特徴とするお好み焼き用食器具。
【請求項３】
請求項１または２に記載されたお好み焼き用食器具であって、
前記お好み焼きは、そば入りお好み焼きであり、
前記フォーク部は、前記フォーク部の先端の傾き方向に対して直交する方向に延びる刺し歯を、そばが挟める間隔で複数形成したものであり、
前記刺し歯の先端および前記フォーク部側における前記ヘラ部の先端に、面取り加工が施されていることを特徴とするお好み焼き用食器具。
【考案の詳細な説明】
【技術分野】
【０００１】
本考案は、お好み焼き用食器具に関する。
【背景技術】
【０００２】
お好み焼きとして、モダン焼きなどのそば入りお好み焼きがある。モダン焼きは、少なくとも卵と小麦粉を水等で溶いた生地（以下、生地と言う）を薄く広げて焼いた焼生地（以下、焼生地と言う）と、薄く広げて焼いた焼卵（以下、焼卵と言う）で、調味料を加えて炒めたそばおよび具材（キャベツや肉など）から成る調理具材（以下、調理具材と言う）を挟んだものである。モダン焼きは、水分量が少ない生地と卵を焼いた焼生地と焼卵で調理具材を挟むため調理時間が短くなるとともに、安価で盛り沢山な具材を含むボリュームのある食べ物として人々に馴れ親しまれている。
【０００３】
お好み焼きを食べる際に、喫食者は、ヘラでお好み焼きを食べやすい大きさに切り分けた後に、ヘラで、またはフォークや箸に持ち替えて、切り分けたお好み焼きの一片を口元へ運んで食べる。このお好み焼きを切り分けるヘラに関して、従来から鋭意研究されている。
【０００４】
例えば、特許文献１（従来例）には、図４に示すように、Ｒ状に形成した載置部１１０の先端１１０aに沿ってロールさせながらお好み焼き（不図示）を押し切って、楽で綺麗にお好み焼きを切り分けることができるお好み焼き食用ヘラＨが開示されている。
【先行技術文献】
【特許文献】
【０００５】
【特許文献１】実用新案登録第３１５７９２２号公報
【考案の概要】
【考案が解決しようとする課題】
【０００６】
しかし、特許文献１に開示されたお好み焼き食用ヘラＨは、主にお好み焼きを切り分ける食器具として用いられており、喫食者は、お好み焼きを切り分けた後にフォークや箸などの食器具（不図示）に持ち替えてお好み焼きを食べており、食器具を持ち替える手間が生じていた。また、ヘラのみでお好み焼きを喫食する場合には、切り分けたお好み焼きの一片から飛び出た細かい調理具材も掬って食べる必要があり、食べ難い問題もあった。
【０００７】
本考案は、上述した事情に鑑みてなされるものであって、食器具の頭部にヘラ部とフォーク部を設けることで、お好み焼きを切り分けた後に食器具を持ち替える手間を省くとともに、調理具材等を挟むことや突き刺すことを可能にして、細かい調理具材も簡単に食べることができるお好み焼き用食器具を提供することを目的とする。
【課題を解決するための手段】
【０００８】
上記課題を解決するためになされた請求項１に記載の考案は、一方向に延びる柄部と、前記柄部の軸心に対して傾き、略台形状をした扁平な頭部とを備えるお好み焼き用食器具であって、前記頭部は、一方の側端側にお好み焼きを切り分けるヘラ部が形成されており、他方の側端側に前記切り分けたお好み焼きを突き刺すフォーク部が形成されていることを特徴とする。
【０００９】
請求項１に記載の考案によれば、食器具の頭部にヘラ部とフォーク部を設けることで、お好み焼きを切り分けた後に食器具を持ち替える手間を省くとともに、調理具材等を挟むことや突き刺すことを可能にして、細かい調理具材も簡単に食べることもできる。
【００１０】
請求項２に記載の考案は、前記フォーク部の先端は、前記ヘラ部の先端に対して前記柄部側へ傾くように形成されていることを特徴とする。
【００１１】
請求項２に記載の考案によれば、フォーク部の先端をヘラ部の先端に対して柄部側へ傾くように形成することで、ヘラ部でお好み焼きを切り分ける際にはフォーク部が邪魔になることはなく、フォーク部で切り分けたお好み焼きの一片を食べる際にヘラ部が口元へ当たり食べ難くなることも防ぐことができる。
【００１２】
請求項３に記載の考案は、請求項１または２に記載されたお好み焼き用食器具であって、前記お好み焼きは、そば入りお好み焼きであり、前記フォーク部は、前記フォーク部の先端の傾き方向に対して直交する方向に延びる刺し歯を、そばが挟める間隔で複数形成したものであり、前記刺し歯の先端および前記フォーク部側における前記ヘラ部の先端に、面取り加工がなされていることを特徴とする。
【００１３】
請求項３に記載の考案によれば、焼生地から飛び出たそばに関しても複数の刺し歯で挟むことで、そば入りお好み焼きをより簡単かつ早く食べることができる。
【考案の効果】
【００１４】
本考案によれば、食器具の頭部にヘラ部とフォーク部を設けることで、お好み焼きを切り分けた後に食器具を持ち替える手間を省くとともに、調理具材等を挟むことや突き刺すことを可能にすることで、細かい調理具材についても簡単に食べることができる。
【図面の簡単な説明】
【００１５】
【図１】第一実施例のお好み焼き用食器具の平面図である。
【図２】図１のＡ部拡大図である。
【図３】側面視における第一実施例のお好み焼き用食器具をテーブルに置いた際の概略図である。
【図４】従来例のお好み焼き食用ヘラの平面図である。
【考案を実施するための形態】
【００１６】
（第一実施例）
以下、図面を参照して、本考案の実施例に係るお好み焼き用食器具１について説明する。
【００１７】
図１は第一実施例のお好み焼き用食器具１の平面図であり、図２は図１のＡ部拡大図であり、図３は側面視における第一実施例のお好み焼き用食器具１をテーブル４に置いた際の概略図である。
【００１８】
図１および３に示すように、引用符号１は、本実施例のお好み焼き用食器具１である。お好み焼き用食器具１は、喫食者が把持する柄部２と、柄部２に連接して形成され、お好み焼き（不図示）を切り分けて掬う頭部３を備える。お好み焼き用食器具１は、例えば錆などに強いステンレス鋼板などの薄い板から形成されている。
【００１９】
柄部２は、図１に示すように、一方向に延びる帯状に形成されている。柄部２の頭部３側には、図３に示すように、柄部２の長手方向に対して斜め下方へ折り曲がる第１折曲点２１と、第１折曲点２１から斜め下方へ折り曲がった柄部２を斜め上方へ折り曲げる第２折曲点２２とが形成されている。すなわち、柄部２の頭部３側は、側面視略Ｓ字状に形成されている。
【００２０】
頭部３は、図１に示すように、略台形状をした扁平なものである。頭部３は、一方の側端３a側にお好み焼きを切り分けるヘラ部３１が形成されており、他方の側端３ｂ側に切り分けたお好み焼きの一片を突き刺すフォーク部３２が形成されている。
【００２１】
ヘラ部３１は、図２に示すように、先端３１aに進むにつれて幅が広くなるように形成されており、お好み焼きの一片を簡単に掬うことができる。また、ヘラ部３１の先端３１aは、柄部２の長手方向と略直交する方向へ延びて形成されている。
【００２２】
フォーク部３２は、図２に示すように、先端３２ｂをヘラ部３１の先端３１aから他方の側端３ｂへ進むにつれて、柄部２側へ近づくように傾いて形成されている。すなわち、フォーク部３２の先端３２ｂは、ヘラ部３１の先端３１aに対して柄部２側へ傾くように形成されている。また、フォーク部３２には、フォーク部３２の先端３２ｂの傾き方向に対して直交する方向へ延びる刺し歯３２aが、そばを挟むことが可能な間隔で複数形成されている。
【００２３】
刺し歯３２aの先端３２ｂおよびフォーク部３２側におけるヘラ部３１の先端３１aは面取り加工が施されており、フォーク部３２の先端３２ｂおよびヘラ部３１の先端３１aで口元が切れることがないように形成されている。
【００２４】
本実施例のお好み焼き用食器具１は、柄部２の頭部３側を略Ｓ字状に形成することで、図３に示すように、テーブル４に置いた際に、柄部２の頭部３側の一部をテーブル４から離間させるとともに、頭部３もテーブル４から離間させた状態にすることができる。このように本実施例のお好み焼き用食器具１をテーブル４に置いた際に、柄部２の頭部３側の一部をテーブル４から離間させることで掴みやすくするとともに、頭部３もテーブル４から離間させることで衛生面も確保することができる。
【００２５】
また、本実施例のお好み焼き用食器具１におけるフォーク部３２の先端３２bは、ヘラ部３１の先端３１aに対して柄部２側へ傾くように形成することで、ヘラ部３１でお好み焼きを切り分ける際にはフォーク部３２が邪魔になることはなく、フォーク部３２でお好み焼きの一片を食べる際にヘラ部３１が口元へ当たり食べ難くなることもない。
【００２６】
さらに、本実施例のお好み焼き用食器具１は、図２に示すように全体に渡って薄板状（扁平なもの）とすることで、効率良く重ねて収納することもできる。すなわち、本実施例のお好み焼き用食器具１を複数重ねた際には、重ね合わせたお好み焼き用食器具１の間に隙間が生じずに、限られた収納スペース（不図示）により多くのお好み焼き用食器具１を収納することもできる。
【００２７】
次に本実施例のお好み焼き用食器具１を用いて、お好み焼きの一例であるそば入りお好み焼き（不図示）を食べる場合について説明する。初期条件としては、小型の鉄板や皿などのプレート（不図示）の上にそば入りお好み焼き（焼生地と焼卵で調理具材を挟んだもの）（不図示）を載せた状態とする。
【００２８】
喫食者は、お好み焼き用食器具１の柄部２を把持し、ヘラ部３１の先端３１aをそば入りお好み焼きに押し付けて切り、食べやすいサイズにそば入りお好み焼きを切り分ける。そば入りお好み焼きを食べやすいサイズに切り分けると、喫食者は、そば入りお好み焼きの一片を、ヘラ部３１で掬ってまたはフォーク部３２で突き刺して、口元まで運んで食べる。また、そば入りお好み焼きをヘラ部３１で切り分けた際に、喫食者は、フォーク部３２で焼生地などから飛び出した調理具材の一部を挟んでまたは突き刺して口元まで運んで食べる。このようにして、喫食者は、お好み焼き用食器具１を用いて、そば入りお好み焼きを完食する。
【００２９】
本実施例のお好み焼き用食器具１は、ヘラ部３１でそば入りお好み焼きを切り分けた後に、そば入りお好み焼きの一片を、ヘラ部３１で掬って、またはフォーク部３２で突き刺して食べるため、従来例のようにそば入りお好み焼きを切り分けた後に、そば入りお好み焼きの一片を口元まで運ぶ食器具に持ち替えずに食べることができる。このため、本実施例のお好み焼き用食器具１でそば入りお好み焼きを食べることで、特に他の食器具に持ち替えなくても、簡単にそば入りお好み焼きを食べることができる。これにより、喫食者は、食器具を持ち替える手間がなくなり、より熱々の状態でそば入りお好み焼きを食べることができる。
【００３０】
また、本実施例のお好み焼き用食器具１は、頭部３にヘラ部３１を設けることで、そば入りお好み焼きを切り分ける用途（例えばナイフのような用途）およびそば入りお好み焼きの一片を掬う用途（例えばスプーンのような用途）を有するとともに、頭部３にフォーク部３２も設けることで、そば入りお好み焼きの一片を挟むまたは突き刺す用途（例えばフォークのような用途）を有することができる。すなわち、本実施例のお好み焼き用食器具１は、頭部３にヘラ部３１およびフォーク部３２を形成することで、ナイフ、スプーンおよびフォークのような３つの用途の食器具を１つの食器具に集約させることができる。このように、本実施例のお好み焼き用食器具１は、３つの用途を１つの食器具に集約させることで、そば入りお好み焼きを食べる際に、ナイフ、フォークおよびスプーンなどをテーブル４の上に置く必要がなく、テーブル４の上をスッキリさせることができる。
【００３１】
さらに、本実施例のお好み焼き用食器具１における複数の刺し歯３２aは、そばを挟むことが可能な間隔で形成されているため、焼生地から飛び出たそばも複数の刺し歯３２aの間で簡単に挟んで口元へ運ぶこともできる。
【００３２】
（その他の実施例）
上記実施例において、フォーク部３２の先端３２ｂがヘラ部３１の先端３１aに対して柄部２側へ傾くように形成されるものとして説明したが、特にこれに限られるものではなく、ヘラ部３１でお好み焼きを切り分ける際に、フォーク部３２の先端３２ｂがそば入りお好み焼きを載せたプレートに接しないようにする構成であれば良い。例えば、フォーク部３２の先端３２ｂが、ヘラ部３１の先端３１aと略平行で、柄部２側へ凹むように形成されていても良い。
【００３３】
上記実施例において、柄部２の頭部３側において第１折曲点２１と第２折曲点２２が形成されるものとして説明したが、特にこれに限られるものではなく、柄部２の軸心に対して頭部３が傾くように折れ曲がる構成であれば良い。すなわち、喫食者が、柄部２を持って、ヘラ部３１でそば入りお好み焼きを掬う際に、喫食者の手がプレートに接しないように柄部２が折れ曲がった構成であれば良い。
【００３４】
また、上記実施例において、複数の刺し歯３２aの間隔をそばが挟める程度の間隔で形成するものとして説明したが、特にこれに限るものではなく、各刺し歯３２aがお好み焼きの一片を突き刺すことができる間隔で形成されていれば良い。
【００３５】
さらに、上記実施例において、お好み焼き用食器具１でそば入りお好み焼きを食するものとして説明したが、特にこれに限られるものではなく、そば入りお好み焼き以外のお好み焼きを食べる際に用いても良い。
【００３６】
本考案は、その精神または主要な特徴から逸脱することなく、他の様々な形で実施することができる。そのため、前述の実施の形態はあらゆる点で単なる例示に過ぎず、限定的に解釈してはならない。本考案の範囲は、実用新案登録請求の範囲によって示すものであって、明細書本文には、なんら拘束されない。さらに、実用新案登録請求の範囲の均等範囲に属する全ての変形、様々な改良、代替および改質は、すべて本考案の範囲内のものである。
【符号の説明】
【００３７】
１…お好み焼き用食器具
２…柄部
２１…第１折曲点    ２２…第２折曲点
３…頭部
３a…一方の側端    ３ｂ…他方の側端    ３１…ヘラ部    ３１a…先端    ３２…フォーク部    ３２a…刺し歯    ３２ｂ…先端
４…テーブル
【図１】
0003194011.tif 000003
【図２】
0003194011.tif 000004
【図３】
0003194011.tif 000005
【図４】
0003194011.tif 000006